(57)【要約】本発明は、外側ファブリック（１２）と、該外側ファブリックの後方に配置されるフレキシブル発光ディスプレイ（１４）とを有するテキスタイル製品（１０）に係る。該フレキシブルディスプレイは、フレキシブルディスプレイから発される光を受けて拡散するよう配置される拡散素子（２０）を有する。当該テキスタイル製品は、フレキシブルディスプレイから発される光を受けて更に拡散するよう、外側ファブリックに近接して配置される拡散スペーサファブリック（２２）によって特徴付けられる。該拡散スペーサファブリック（２２）は、拡散素子（２０）とは別個である。拡散スペーサファブリックは、第２の拡散素子としての役割を有し、向上された拡散性能を可能にする。本発明はまた、かかるテキスタイル製品を製造する方法、及びテキスタイル製品における使用に適合されるフレキシブル発光ディスプレイに係る。
2009540355.tif 000002
【特許請求の範囲】
【請求項１】
テキスタイル製品であって：
外側ファブリックと、
該外側ファブリックの後方に配置されるフレキシブル発光ディスプレイと、
を有し、
該フレキシブルディスプレイは、該フレキシブルディスプレイから発される光を受けて拡散するよう配置される拡散素子を有し、
前記フレキシブルディスプレイから発される光を受けて更に拡散するよう、前記外側ファブリックに近接して配置される、前記拡散素子とは別個である拡散スペーサファブリック、によって特徴付けられる、
テキスタイル製品。
【請求項２】
前記拡散スペーサファブリックは、前記フレキシブルディスプレイと前記外側ファブリックとの間において配置される、
請求項１記載のテキスタイル製品。
【請求項３】
前記拡散スペーサファブリックは、前記フレキシブルディスプレイと比較して実質的により大きな範囲を有する、
請求項１記載のテキスタイル製品。
【請求項４】
前記拡散スペーサファブリックは、前記外側ファブリックより大きな厚さを有する、
請求項１記載のテキスタイル製品。
【請求項５】
前記フレキシブルディスプレイの周囲に配置される追加的なスペーサファブリックを更に有する、
請求項１記載のテキスタイル製品。
【請求項６】
前記フレキシブルディスプレイは、前記拡散スペーサファブリック／外側ファブリックと内側ファブリックとの間に配置される、
請求項１記載のテキスタイル製品。
【請求項７】
前記フレキシブルディスプレイは、前記拡散スペーサファブリック／外側ファブリック及び前記内側ファブリックのいずれに対しても取り付けられる、
請求項６記載のテキスタイル製品。
【請求項８】
前記フレキシブルディスプレイは、上方に少なくとも１つの光源を有するフレキシブル基板を有し、
フレキシブル温度調節層は、前記少なくとも１つの光源を有する側部と比較して前記基板の対向する側部上に与えられ、残りのディスプレイ装置から熱を放散させる、
請求項１記載のテキスタイル製品。
【請求項９】
前記テキスタイル製品は、衣類である、
請求項１記載のテキスタイル製品。
【請求項１０】
外側ファブリックを有するテキスタイル製品の製造方法であって：
前記外側ファブリックの後方にフレキシブル発光ディスプレイを配置する段階、
を有し、該フレキシブルディスプレイは、該フレキシブルディスプレイから発される光を受けて拡散するよう配置される拡散素子を有し、
前記フレキシブルディスプレイから発される光を受けて更に拡散するよう、前記外側ファブリックに近接して別個である拡散スペーサファブリックを配置する段階、によって特徴付けられる、
方法。
【請求項１１】
テキスタイル製品における外側ファブリックの後方において使用されるよう適合される、フレキシブル発光ディスプレイであって、
当該フレキシブルディスプレイから発される光を受けて拡散するよう配置される拡散素子を有し、前記テキスタイル製品は、当該フレキシブルディスプレイから発される光を受けて更に拡散するよう、前記外側ファブリックに対して近接して配置される別個の拡散スペーサファブリックを更に有する、
フレキシブル発光ディスプレイ。
【発明の詳細な説明】
【技術分野】
【０００１】
本発明は、外側ファブリック、及び該外側ファブリックの後方に配置されるフレキシブル発光ディスプレイを有するテキスタイル製品に係る。フレキシブルディスプレイは、該フレキシブルディスプレイから発される光を受けて拡散するよう配置される拡散素子を有する。本発明はまた、かかるテキスタイル製品を製造する方法、及びテキスタイル製品内部における使用に適合されるフレキシブル発光ディスプレイに係る。
【背景技術】
【０００２】
かかるテキスタイル製品の一例は、ＷＯ２００４／１００１１１（特許文献１）において開示される。フレキシブルディスプレイは、シャツ等である衣類に組み込まれる。拡散素子は、フレキシブルディスプレイ自体又は衣類、即ちフレキシブルディスプレイを収容する衣類のポケットのいずれかにおいて与えられ、実質的に連続する光のディスプレイを作るためにフレキシブルディスプレイの２つの近接する離散光源（ｄｉｓｃｒｅｔｅ  ｌｉｇｈｔ  ｓｏｕｒｃｅｓ）からくる光を拡散するようにする。故に、単一の拡散素子が使用される。
【０００３】
上方に発光ダイオード（ＬＥＤ）を有するフレキシブルディスプレイスクリーンを有する他の衣類、即ちジャケットは、ＷＯ２００６／０１４２３０（特許文献２）において開示される。フレキシブルディスプレイスクリーンは、衣類の外側布地の後方に直接配置される。該外側布地は、ＬＥＤに対して光拡散器としての役割を有し得る。
【０００４】
これらの先行技術によるテキスタイル製品はいずれも、単一の拡散素子を利用する。これは、制限的な全体の拡散効果及び制限された拡散効果の制御のいずれの観点においても、拡散性能を妨害し得る。また、特許文献１において開示される拡散素子は非常に厚く、オフにされている場合でもディスプレイの輪郭が衣類の外側からも可視であるようにさせ得る。
【特許文献１】ＷＯ２００４／１００１１１
【特許文献２】ＷＯ２００６／０１４２３０
【発明の開示】
【発明が解決しようとする課題】
【０００５】
本発明は、上述された問題を克服するか少なくとも軽減すること、及び向上されたテキスタイル製品を与えることを目的とする。
【課題を解決するための手段】
【０００６】
以下の説明から明らかとなるこれらの及び他の目的は、添付の請求項に従った、テキスタイル製品、テキスタイル製品を製造する方法、及びテキスタイル製品における使用に適合されるフレキシブル発光ディスプレイを用いて達成される。
【０００７】
本発明の一態様によれば、外側ファブリックと、外側ファブリックの後方に配置されるフレキシブル発光ディスプレイとを有するテキスタイル製品が与えられる。フレキシブルディスプレイは、フレキシブルディスプレイから発される光を受けて拡散するよう配置される拡散素子を有する。当該テキスタイル製品は、フレキシブルディスプレイから発される光を受けて更に拡散するよう、外側ファブリックに近接して配置される拡散スペーサファブリックによって特徴付けられる。該拡散スペーサファブリックは、拡散素子とは別個である。
【０００８】
拡散スペーサファブリックは、第２の別個の拡散素子としての役割を有し、材料、厚さ、輪郭構造、形状、密度等である２つの拡散素子の特徴を調整し、光拡散特徴の最適化を可能にする。例えば、異なる密度を有する２つの拡散素子（同様の材料又は異なる材料）は、所望される拡散特徴を達成するよう使用され得る。更には、同様の密度を有するフォーム及びニードルパディング（ｎｅｅｄｌｅ  ｐａｄｄｉｎｇ）等である２つの異なるファブリックは、全く異なる発光効果を示し得、やはり拡散特徴の最適化を可能にする。
【０００９】
望ましくは、拡散スペーサファブリックは、フレキシブルディスプレイと外側ファブリックとの間に配置されるため、外側ファブリックの外観及び外側表面構造は、保持される。あるいは、拡散スペーサファブリックは、外側ファブリックの外側に取り付けられ得る。
【００１０】
一実施例では、拡散スペーサファブリックは、フレキシブルディスプレイと比較して実質的により大きな範囲を有する。例えば、テキスタイル製品がジャケットである場合、拡散スペーサファブリックの範囲は望ましくは、ジャケットの全部又は後部の範囲に合致するか、あるいはフレキシブルディスプレイが取り付けられるテキスタイル製品のファブリックの他の部分の範囲に合致する。フレキシブルディスプレイと比較して実質的により大きな範囲を有する拡散スペーサファブリックは、フレキシブルディスプレイの輪郭がテキスタイル製品の外側から可視であることを実質的に防ぎ、ディスプレイは、オフ状態の際には露出されない。
【００１１】
一実施例では、拡散スペーサファブリックは、外側ファブリックより大きな厚さを有する。このため、拡散スペーサファブリックは、外側ファブリックからフレキシブルディスプレイの間隔をあけるよう適合される。
【００１２】
一実施例では、テキスタイル製品は更に、フレキシブルディスプレイの周囲に配置される追加的なスペーサファブリックを有する。追加的なスペーサファブリックの厚さは望ましくは、フレキシブルディスプレイの厚さに合致し、フレキシブルディスプレイを組み込むテキスタイル製品の部分が一様な厚さを得るようにする。これはテキスタイル製品が衣類である場合に特に有利である。それは、一様な厚さによってユーザにとっての衣類の着用がより快適となるためである。追加的なスペーサファブリックは、テキスタイル製品の外側からのフレキシブルディスプレイの輪郭の可視性を更に低減し得る。
【００１３】
一実施例では、フレキシブルディスプレイは、拡散スペーサファブリック／外側ファブリック（どちらが最も遠いかに依存する）と内側ファブリックとの間に配置される。ここでは、フレキシブルディスプレイ（又はフレキシブルディスプレイを収容するポケット）は、例えば、拡散スペーサファブリック／外側ファブリック、又は内側ファブリックのいずれかに対して取り付けられ得る。後者の場合、フレキシブルディスプレイは望ましくは、拡散スペーサファブリック／外側ファブリックに対して取り付けられ、フレキシブルディスプレイと拡散スペーサファブリック／外側ファブリックとの間における距離を保持し、ディスプレイ性能が変えられない及び／又は低下されないようにする。
【００１４】
一実施例では、フレキシブルディスプレイは、上方に取り付けられた少なくとも１つの光源を有するフレキシブル基板を有する。また、フレキシブル温度調節層は、少なくとも１つの光源を有する側部と比較して基板の対向する側部上に与えられ、残りのディスプレイ装置から熱を放散させる。これは、ディスプレイの一定した動作及び高められた耐久性を可能にする。更には、フレキシブル温度調節層を使用することによって、ディスプレイは、その全体的なフレキシブル特性を保持し得る。
【００１５】
一実施例では、テキスタイル製品は、ジャケット、ベスト、セーター、又はシャツ等である衣類である。
【００１６】
本発明の他の態様によれば、外側ファブリックを有するテキスタイル製品を製造する方法が与えられる。当該方法は、外側ファブリックの後方にフレキシブル発光ディスプレイを配置する段階を有する。該フレキシブルディスプレイは、フレキシブルディスプレイから発される光を受けて拡散するよう配置される拡散素子を有する。当該方法は、フレキシブルディスプレイから発される光を受けて更に拡散するよう、外側ファブリックに対して近接して別個の拡散スペーサファブリックを配置する段階、によって特徴付けられる。この方法は、本発明の前述された態様を有して得られる利点と同様の利点を与える。
【００１７】
本発明の他の態様によれば、テキスタイル製品の外側ファブリックの後方における使用に適合されるフレキシブル発光ディスプレイが与えられる。該フレキシブルディスプレイは、フレキシブルディスプレイから発される光を受けて拡散するよう配置される拡散素子を有する。テキスタイル製品は更に、フレキシブルディスプレイから発される光を受けて更に拡散させるよう、外側ファブリックに対して近接して配置される別個の拡散スペーサファブリックを有する。この態様は、本発明の前述された態様を有して得られる利点と同様の利点を与える。
【発明を実施するための最良の形態】
【００１８】
本発明のこれらの及び他の態様は、これより更に詳細に説明され、本発明の現在望ましい実施例を図示する添付の図面が参照される。
【００１９】
本発明の基本的な実施例に従ったテキスタイル製品はこれより、図１及び２に関連して説明される。ここではシャツであるテキスタイル製品１０は、外側ファブリック１２を有し、その後方にはフレキシブル発光ディスプレイ１４が配置される。フレキシブルディスプレイ１４は、例えばプラスチック又はファブリックを有して作られ得るフレキシブル基板１６、及び望ましくは発光ダイオード（ＬＥＤ）である複数の離散光源１８を有する。ＬＥＤは、高い耐用性、低い消費電力、及び高輝度等である複数の利点を示し、本願において有用となる。フレキシブルディスプレイ１４は、観察者が外側ファブリック１２を介してディスプレイ１４上にグラフィック形状、テキストベースの文字等を見ることができるよう、光を発し得る。該ディスプレイは、前出の特許文献１及び２において記載される種類であり得る。
【００２０】
フレキシブルディスプレイ１４は、フレキシブルディスプレイ１４から発される光を受けて拡散するよう配置される拡散素子２０を有し、実質的に連続的な光ディスプレイ（ｓｕｂｓｔａｎｔｉａｌｌｙ  ｃｏｎｔｉｎｕｏｕｓ  ｌｉｇｈｔ  ｄｉｓｐｌａｙ）を作るよう、２つの近接するＬＥＤ１８からくる光を拡散する。かかる拡散素子を有するフレキシブルディスプレイの一例は、前出の特許文献１において開示される。
【００２１】
本発明によれば、テキスタイル製品１０は更に、外側ファブリック１２に対して近接して与えられる拡散スペーサファブリック２２を有する。ここでは、図２に示される通り、拡散スペーサファブリック２２は、外側ファブリック１２の内側に対して取り付けられ、フレキシブルディスプレイ１４は、同様に拡散スペーサファブリック２２に対して取り付けられる。拡散スペーサファブリック２２は望ましくは、外側ファブリック１２に対してラミネートされる。あるいは、拡散スペーサファブリックは例えば、外側ファブリック１２に対して縫製、ファスナ留め、又はフックされ得る。拡散スペーサファブリック２２は、第２の別個の拡散素子としての役割を有し、材料、厚さ、形状、密度等である２つの拡散素子２０，２２の特徴を調整し、全体的な光拡散特徴の最適化を可能にする。拡散スペーサファブリック２２及び拡散素子２０は、織られたファブリック、編まれたファブリック、フォーム、ニードルパディング又は繊維充填物（ｆｉｂｅｒ  ｆｉｌｌ）等である不織材料等を有して構成され得る。拡散素子２０及び拡散スペーサファブリック２２の総厚さは、光源１８間における横方向距離に関連して選択されるべきである。任意で、拡散素子２０の厚さは、フレキシブル基板１６のエッジに向かって徐々に低減し、フレキシブルディスプレイ１４の輪郭は、より可視ではなくなる。
【００２２】
図１において、拡散スペーサファブリック２２は、フレキシブルディスプレイ１４と比較して実質的により大きい範囲を有する。即ち、拡散スペーサファブリック２２の範囲は、シャツ１０の前部の範囲に基本的に合致する。フレキシブルディスプレイ１４と比較して実質的により大きな範囲を有する拡散スペーサファブリック２２は、可能であれば拡散スペーサファブリック２２の適切な強度特徴及び／又は厚さと組み合わせて、フレキシブルディスプレイ１４の輪郭が衣類１０の外側から可視であることを防ぐ。
【００２３】
任意で、フレキシブルディスプレイ１４は、ＬＥＤ１８を有する側部と比較してフレキシブル基板１６の対向する側部上に与えられるフレキシブル温度調節層（図示せず）を追加的に有し得、残りのディスプレイ装置から熱を放散させる。温度調節層は例えば、望ましくはネオプレンである非伸縮性材料を有して作られ得る。温度調節層は更に、ディスプレイ装置から熱が離れるよう案内する穴を反復パターンにおいて与えられ得る。熱管理を除いて、温度調節層はまた、損傷に対する物理的な強度保護をフレキシブルディスプレイ１４に与える。ＧｏｒｅＴｅｘ（登録商標）等である通気性のあるファブリック層は更に、温度調節層上に与えられ得、熱がフレキシブルディスプレイ１４から出て移動され得るようにする。反射ファブリック層は更に、フレキシブル基板１６と温度調節層との間に与えられ得、ＬＥＤ１８から後方に発される光が前方に反射されるようにする。
【００２４】
フレキシブルディスプレイ１４は、多種の方途において取り付けられ得る。望ましくは、フレキシブルディスプレイは、取外し可能に取り付けられ、フレキシブルディスプレイ１４の修理を容易にし、また衣類１０が洗われる際等に除去され得るようにする。フレキシブルディスプレイ１４は例えば、ベルクロ（登録商標）、スナップボタン、ファスナ等を使用して取り付けられ得るか、あるいは、衣類１０内部に配置されるポケットに配置され得る。かかるポケットは例えば、（衣類の裏地の一部である）内側ファブリックと拡散スペーサファブリック２２との間に配置される、非常に透明なディスプレイ位置決めファブリック上に与えられ得る。あるいは、（ポケット又はパウチを有するかあるいは有さない）フレキシブルディスプレイ１４は、拡散スペーサファブリック２２又は内側ファブリックのいずかに対して取り付けられ得る。後者の場合、フレキシブルディスプレイ１４は望ましくは、フレキシブルディスプレイ１４と拡散スペーサファブリック２２との間における距離を保持するよう拡散スペーサファブリック２２に対して取り付けられ、ディスプレイ性能が変えられず、並びに／あるいは低下されないようにする。また、残りのフレキシブルディスプレイ１４より大きな範囲を有するバックカバーは、テキスタイル製品に対するフレキシブルディスプレイ１４の（縫製等による）取付けを容易にするよう、フレキシブルディスプレイの背部に対して取り付けられ得る。図３−６は、フレキシブルディスプレイ１４がどのように取り付けられ得るかについての多種の例を示す部分的側部断面図である。図３中、フレキシブルディスプレイ１４は、ベルクロ２４を使用して拡散スペーサファブリック２２に対して取り付けられる。図４中、フレキシブルディスプレイ１４は、ポケット２６を用いて拡散スペーサファブリック２２に対して取り付けられる。図５中、フレキシブルディスプレイ１４は、ポケット２６を用いて内側ファブリック２８に対して取り付けられ、該ポケットは同様に、ベルクロ２４を使用して拡散スペーサファブリック２２に対して取り付けられる。図６中、フレキシブルディスプレイ１４は、内側ファブリック２８と拡散スペーサファブリック２２との間において配置される非常に透明なディスプレイ位置決めファブリック３２上に与えられるポケット２６において配置される。図６中、フレキシブルディスプレイ１４は、内側ファブリック２８における開口（図示せず）を介してアクセスされ得る。
【００２５】
追加的なスペーサファブリック３０は、図７に示される通り、フレキシブルディスプレイ１４の周囲に与えられ得る。即ち、追加的なスペーサファブリック３０は、フレキシブルディスプレイ１４の横方向伸張として、フレキシブルディスプレイ１４と同一の「レベル」に配置される。追加的なスペーサファブリック３０の厚さは、フレキシブルディスプレイ１４の厚さと合致し、フレキシブルディスプレイ１４を組み込むテキスタイル製品１０の一部は、一様な厚さを得る。追加的なスペーサファブリック３０は任意で、拡散スペーサファブリック２２と一個構成に形成され得る。
【００２６】
本発明のテキスタイル製品１０は、図示されない多くの追加的な特徴及び装置を有し得る。例えばテキスタイル製品は、ディスプレイに電力を供給する電源、ディスプレイを制御する制御ユニット、ディスプレイ上に表示されるべき画像又はアニメーションに関連するデータを格納するメモリ、外部装置との有線又は無線通信を可能にする通信ユニット、オーディオ手段等を有し得、テキスタイル製品が広範囲の用途に使用され得るようにする。また、テキスタイル製品は、１つより多くのフレキシブルディスプレイを有し得る。
【００２７】
当業者は、本発明が上述された望ましい実施例にいかようにも制限されない、ことを認識する。また、多くの修正及び変形は、添付の請求項の範囲内において可能である。例えば、衣類が上述されてきたが、本発明に従ったテキスタイル製品は、同様に、枕、カーテン、家具用ファブリック、自動車の天井、ベッドテキスタイル、おもちゃ、マット又はカーペット、テーブルクロス、パウチ、バッグ、バックパック等であり得る。
【図面の簡単な説明】
【００２８】
【図１】本発明に従ったテキスタイル製品の前面図である。
【図２】図１中のテキスタイル製品の部分的側部断面図である。
【図３】本発明に従ったテキスタイル製品の実施例の部分的側部断面図である。
【図４】本発明に従ったテキスタイル製品の実施例の部分的側部断面図である。
【図５】本発明に従ったテキスタイル製品の実施例の部分的側部断面図である。
【図６】本発明に従ったテキスタイル製品の実施例の部分的側部断面図である。
【図７】本発明に従ったテキスタイル製品の実施例の部分的側部断面図である。
【図１】
2009540355.tif 000003
【図２】
2009540355.tif 000004
【図３】
2009540355.tif 000005
【図４】
2009540355.tif 000006
【図５】
2009540355.tif 000007
【図６】
2009540355.tif 000008
【図７】
2009540355.tif 000009
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
テキスタイル製品であって：
外側ファブリックと、
該外側ファブリックの後方に配置されるフレキシブル発光ディスプレイと、
を有し、
該フレキシブル発光ディスプレイは、該フレキシブル発光ディスプレイから発される光を受けて拡散するよう配置される第１の拡散素子を有し、
当該テキスタイル製品は、前記フレキシブル発光ディスプレイから発される光を受けて更に拡散するよう、前記外側ファブリックに近接して配置される、前記第１の拡散素子とは別個である第２の拡散素子を有し、該第２の拡散素子は、拡散スペーサファブリックである、
ことを特徴とするテキスタイル製品。
【請求項２】
前記拡散スペーサファブリックは、前記フレキシブル発光ディスプレイと前記外側ファブリックとの間において配置される、
請求項１記載のテキスタイル製品。
【請求項３】
前記拡散スペーサファブリックは、前記フレキシブル発光ディスプレイより更に大きな範囲を有する、
請求項１記載のテキスタイル製品。
【請求項４】
前記拡散スペーサファブリックは、前記外側ファブリックより大きな厚さを有する、
請求項１記載のテキスタイル製品。
【請求項５】
前記フレキシブル発光ディスプレイの周囲に配置される追加的なスペーサファブリックを更に有する、
請求項１記載のテキスタイル製品。
【請求項６】
前記フレキシブル発光ディスプレイは、前記拡散スペーサファブリック又は外側ファブリックと内側ファブリックとの間に配置される、
請求項１記載のテキスタイル製品。
【請求項７】
前記フレキシブル発光ディスプレイは、前記拡散スペーサファブリック又は外側ファブリック及び前記内側ファブリックのいずれに対しても取り付けられる、
請求項６記載のテキスタイル製品。
【請求項８】
前記フレキシブル発光ディスプレイは、上方に少なくとも１つの光源を有するフレキシブル基板を有し、
フレキシブル温度調節層は、前記少なくとも１つの光源を有する側部に対向する前記基板の側部上に与えられ、残りの発光ディスプレイ装置から熱を放散させる、
請求項１記載のテキスタイル製品。
【請求項９】
前記テキスタイル製品は、衣類である、
請求項１記載のテキスタイル製品。
【請求項１０】
テキスタイル製品の製造方法であって、
該テキスタイル製品は、外側ファブリックと、第１の拡散素子を有するフレキシブル発光ディスプレイとを有し、該第１の拡散素子は、前記フレキシブル発光ディスプレイから発される光を受けて拡散するよう配置され、
当該方法は：
前記外側ファブリックの後方に前記フレキシブル発光ディスプレイを配置する段階、
を有し、
更には、
前記フレキシブル発光ディスプレイから発される光を受けて更に拡散するよう、前記外側ファブリックに近接して前記第１の拡散素子とは別個である第２の拡散素子を配置する段階、
を有し、該第２の拡散素子は、拡散スペーサファブリックである、
方法。

【手続補正２】
【補正対象書類名】明細書
【補正対象項目名】全文
【補正方法】変更
【補正の内容】
【発明の詳細な説明】
【技術分野】
【０００１】
本発明は、外側ファブリック、及び該外側ファブリックの後方に配置されるフレキシブル発光ディスプレイを有するテキスタイル製品に係る。フレキシブルディスプレイは、該フレキシブルディスプレイから発される光を受けて拡散するよう配置される拡散素子を有する。本発明はまた、かかるテキスタイル製品を製造する方法、及びテキスタイル製品内部における使用に適合されるフレキシブル発光ディスプレイに係る。
【背景技術】
【０００２】
かかるテキスタイル製品の一例は、ＷＯ２００４／１００１１１（特許文献１）において開示される。フレキシブルディスプレイは、シャツ等である衣類に組み込まれる。拡散素子は、フレキシブルディスプレイ自体又は衣類、即ちフレキシブルディスプレイを収容する衣類のポケットのいずれかにおいて与えられ、実質的に連続する光のディスプレイを作るためにフレキシブルディスプレイの２つの近接する離散光源（ｄｉｓｃｒｅｔｅ  ｌｉｇｈｔ  ｓｏｕｒｃｅｓ）からくる光を拡散するようにする。故に、単一の拡散素子が使用される。
【０００３】
上方に発光ダイオード（ＬＥＤ）を有するフレキシブルディスプレイスクリーンを有する他の衣類、即ちジャケットは、ＷＯ２００６／０１４２３０（特許文献２）において開示される。フレキシブルディスプレイスクリーンは、衣類の外側布地の後方に直接配置される。該外側布地は、ＬＥＤに対して光拡散器としての役割を有し得る。
【０００４】
これらの先行技術によるテキスタイル製品はいずれも、単一の拡散素子を利用する。これは、制限的な全体の拡散効果及び制限された拡散効果の制御のいずれの観点においても、拡散性能を妨害し得る。また、特許文献１において開示される拡散素子は非常に厚く、オフにされている場合でもディスプレイの輪郭が衣類の外側からも可視であるようにさせ得る。
【特許文献１】ＷＯ２００４／１００１１１
【特許文献２】ＷＯ２００６／０１４２３０
【発明の開示】
【発明が解決しようとする課題】
【０００５】
本発明は、上述された問題を克服するか少なくとも軽減すること、及び向上されたテキスタイル製品を与えることを目的とする。
【課題を解決するための手段】
【０００６】
以下の説明から明らかとなるこれらの及び他の目的は、添付の請求項に従った、テキスタイル製品、及びテキスタイル製品を製造する方法を用いて達成される。
【０００７】
本発明の一態様によれば、外側ファブリックと、外側ファブリックの後方に配置されるフレキシブル発光ディスプレイとを有するテキスタイル製品が与えられる。フレキシブル発光ディスプレイは、フレキシブル発光ディスプレイから発される光を受けて拡散するよう配置される第１の拡散素子を有する。当該テキスタイル製品は、フレキシブル発光ディスプレイから発される光を受けて更に拡散するよう、外側ファブリックに近接して配置される第１の拡散素子とは別個である第２の拡散素子を有する、ことを特徴とする。該第２の拡散素子は、拡散スペーサファブリックである。
【０００８】
拡散スペーサファブリックは、第２の別個の拡散素子としての役割を有し、材料、厚さ、輪郭構造、形状、密度等である２つの拡散素子の特徴を調整し、光拡散特徴の最適化を可能にする。例えば、異なる密度を有する２つの拡散素子（同様の材料又は異なる材料）は、所望される拡散特徴を達成するよう使用され得る。更には、同様の密度を有するフォーム及びニードルパディング（ｎｅｅｄｌｅ  ｐａｄｄｉｎｇ）等である２つの異なるファブリックは、全く異なる発光効果を示し得、やはり拡散特徴の最適化を可能にする。
【０００９】
望ましくは、拡散スペーサファブリックは、フレキシブル発光ディスプレイと外側ファブリックとの間に配置されるため、外側ファブリックの外観及び外側表面構造は、保持される。あるいは、拡散スペーサファブリックは、外側ファブリックの外側に取り付けられ得る。
【００１０】
一実施例では、拡散スペーサファブリックは、フレキシブル発光ディスプレイより実質的に更に大きな範囲を有する。例えば、テキスタイル製品がジャケットである場合、拡散スペーサファブリックの範囲は望ましくは、ジャケットの全部又は後部の範囲に合致するか、あるいはフレキシブル発光ディスプレイが取り付けられるテキスタイル製品のファブリックの他の部分の範囲に合致する。拡散スペーサファブリックがフレキシブル発光ディスプレイより実質的に更に大きな範囲を有する際、該拡散スペーサファブリックは、フレキシブル発光ディスプレイの輪郭がテキスタイル製品の外側から可視であることを実質的に防ぎ、ディスプレイは、オフ状態の際には露出されない。
【００１１】
一実施例では、拡散スペーサファブリックは、外側ファブリックより大きな厚さを有する。このため、拡散スペーサファブリックは、外側ファブリックからフレキシブル発光ディスプレイの間隔をあけるよう適合される。
【００１２】
一実施例では、テキスタイル製品は更に、フレキシブル発光ディスプレイの周囲に配置される追加的なスペーサファブリックを有する。追加的なスペーサファブリックの厚さは望ましくは、フレキシブル発光ディスプレイの厚さに合致し、フレキシブル発光ディスプレイを組み込むテキスタイル製品の部分が一様な厚さを得るようにする。これはテキスタイル製品が衣類である場合に特に有利である。それは、一様な厚さによってユーザにとっての衣類の着用がより快適となるためである。追加的なスペーサファブリックは、テキスタイル製品の外側からのフレキシブル発光ディスプレイの輪郭の可視性を更に低減し得る。
【００１３】
一実施例では、フレキシブル発光ディスプレイは、拡散スペーサファブリック又は外側ファブリック（どちらが最も遠いかに依存する）と内側ファブリックとの間に配置される。ここでは、フレキシブル発光ディスプレイ（又はフレキシブル発光ディスプレイを収容するポケット）は、例えば、拡散スペーサファブリック（又は、どちらが最も遠いかに依存して、外側ファブリック）、又は内側ファブリックのいずれかに対して取り付けられ得る。後者の場合、フレキシブルディスプレイは望ましくは、拡散スペーサファブリック（又は、どちらが最も遠いかに依存して、外側ファブリック）に対して取り付けられ、フレキシブル発光ディスプレイと拡散スペーサファブリック（又は、どちらが最も遠いかに依存して、外側ファブリック）との間における距離を保持し、ディスプレイ性能が変えられない及び／又は低下されないようにする。
【００１４】
一実施例では、フレキシブル発光ディスプレイは、上方に取り付けられた少なくとも１つの光源を有するフレキシブル基板を有する。また、フレキシブル温度調節層は、少なくとも１つの光源を有する側部に対向するフレキシブル基板の側部上に与えられ、残りの発光ディスプレイ装置から熱を放散させる。これは、ディスプレイの一定した動作及び高められた耐久性を可能にする。更には、フレキシブル温度調節層を使用することによって、ディスプレイは、その全体的なフレキシブル特性を保持し得る。
【００１５】
一実施例では、テキスタイル製品は、ジャケット、ベスト、セーター、又はシャツ等である衣類である。
【００１６】
本発明の他の態様によれば、テキスタイル製品を製造する方法が与えられる。該テキスタイル製品は、外側ファブリック、及び第１の拡散素子を有するフレキシブル発光ディスプレイを有する。該第１の拡散素子は、フレキシブル発光ディスプレイから発される光を受けて拡散するよう配置される。当該方法は、外側ファブリックの後方にフレキシブル発光ディスプレイを配置する段階を有する。当該方法は、フレキシブル発光ディスプレイから発される光を受けて更に拡散するよう、外側ファブリックに近接して第１の拡散素子とは別個である第２の拡散素子を配置する段階、を有する。該第２の拡散素子は、拡散スペーサファブリックである。この方法は、本発明の前述された態様を有して得られる利点と同様の利点を与える。
【発明を実施するための最良の形態】
【００１７】
本発明のこれらの及び他の態様は、これより更に詳細に説明され、本発明の現在望ましい実施例を図示する添付の図面が参照される。
【００１８】
本発明の基本的な実施例に従ったテキスタイル製品はこれより、図１及び２に関連して説明される。ここではシャツであるテキスタイル製品１０は、外側ファブリック１２を有し、その後方にはフレキシブル発光ディスプレイ１４が配置される。フレキシブルディスプレイ１４は、例えばプラスチック又はファブリックを有して作られ得るフレキシブル基板１６、及び望ましくは発光ダイオード（ＬＥＤ）である複数の離散光源１８を有する。ＬＥＤは、高い耐用性、低い消費電力、及び高輝度等である複数の利点を示し、本願において有用となる。フレキシブルディスプレイ１４は、観察者が外側ファブリック１２を介してディスプレイ１４上にグラフィック形状、テキストベースの文字等を見ることができるよう、光を発し得る。該ディスプレイは、前出の特許文献１及び２において記載される種類であり得る。
【００１９】
フレキシブルディスプレイ１４は、フレキシブルディスプレイ１４から発される光を受けて拡散するよう配置される拡散素子２０を有し、実質的に連続的な光ディスプレイ（ｓｕｂｓｔａｎｔｉａｌｌｙ  ｃｏｎｔｉｎｕｏｕｓ  ｌｉｇｈｔ  ｄｉｓｐｌａｙ）を作るよう、２つの近接するＬＥＤ１８からくる光を拡散する。かかる拡散素子を有するフレキシブルディスプレイの一例は、前出の特許文献１において開示される。
【００２０】
本発明によれば、テキスタイル製品１０は更に、外側ファブリック１２に対して近接して与えられる拡散スペーサファブリック２２を有する。ここでは、図２に示される通り、拡散スペーサファブリック２２は、外側ファブリック１２の内側に対して取り付けられ、フレキシブルディスプレイ１４は、同様に拡散スペーサファブリック２２に対して取り付けられる。拡散スペーサファブリック２２は望ましくは、外側ファブリック１２に対してラミネートされる。あるいは、拡散スペーサファブリックは例えば、外側ファブリック１２に対して縫製、ファスナ留め、又はフックされ得る。拡散スペーサファブリック２２は、第２の別個の拡散素子としての役割を有し、材料、厚さ、形状、密度等である２つの拡散素子２０，２２の特徴を調整し、全体的な光拡散特徴の最適化を可能にする。拡散スペーサファブリック２２及び拡散素子２０は、織られたファブリック、編まれたファブリック、フォーム、ニードルパディング又は繊維充填物（ｆｉｂｅｒ  ｆｉｌｌ）等である不織材料等を有して構成され得る。拡散素子２０及び拡散スペーサファブリック２２の総厚さは、光源１８間における横方向距離に関連して選択されるべきである。任意で、拡散素子２０の厚さは、フレキシブル基板１６のエッジに向かって徐々に低減し、フレキシブルディスプレイ１４の輪郭は、より可視ではなくなる。
【００２１】
図１において、拡散スペーサファブリック２２は、フレキシブルディスプレイ１４と比較して実質的により大きい範囲を有する。即ち、拡散スペーサファブリック２２の範囲は、シャツ１０の前部の範囲に基本的に合致する。フレキシブルディスプレイ１４と比較して実質的により大きな範囲を有する拡散スペーサファブリック２２は、可能であれば拡散スペーサファブリック２２の適切な強度特徴及び／又は厚さと組み合わせて、フレキシブルディスプレイ１４の輪郭が衣類１０の外側から可視であることを防ぐ。
【００２２】
任意で、フレキシブルディスプレイ１４は、ＬＥＤ１８を有する側部と比較してフレキシブル基板１６の対向する側部上に与えられるフレキシブル温度調節層（図示せず）を追加的に有し得、残りのディスプレイ装置から熱を放散させる。温度調節層は例えば、望ましくはネオプレンである非伸縮性材料を有して作られ得る。温度調節層は更に、ディスプレイ装置から熱が離れるよう案内する穴を反復パターンにおいて与えられ得る。熱管理を除いて、温度調節層はまた、損傷に対する物理的な強度保護をフレキシブルディスプレイ１４に与える。ＧｏｒｅＴｅｘ（登録商標）等である通気性のあるファブリック層は更に、温度調節層上に与えられ得、熱がフレキシブルディスプレイ１４から出て移動され得るようにする。反射ファブリック層は更に、フレキシブル基板１６と温度調節層との間に与えられ得、ＬＥＤ１８から後方に発される光が前方に反射されるようにする。
【００２３】
フレキシブルディスプレイ１４は、多種の方途において取り付けられ得る。望ましくは、フレキシブルディスプレイは、取外し可能に取り付けられ、フレキシブルディスプレイ１４の修理を容易にし、また衣類１０が洗われる際等に除去され得るようにする。フレキシブルディスプレイ１４は例えば、ベルクロ（登録商標）、スナップボタン、ファスナ等を使用して取り付けられ得るか、あるいは、衣類１０内部に配置されるポケットに配置され得る。かかるポケットは例えば、（衣類の裏地の一部である）内側ファブリックと拡散スペーサファブリック２２との間に配置される、非常に透明なディスプレイ位置決めファブリック上に与えられ得る。あるいは、（ポケット又はパウチを有するかあるいは有さない）フレキシブルディスプレイ１４は、拡散スペーサファブリック２２又は内側ファブリックのいずかに対して取り付けられ得る。後者の場合、フレキシブルディスプレイ１４は望ましくは、フレキシブルディスプレイ１４と拡散スペーサファブリック２２との間における距離を保持するよう拡散スペーサファブリック２２に対して取り付けられ、ディスプレイ性能が変えられず、並びに／あるいは低下されないようにする。また、残りのフレキシブルディスプレイ１４より大きな範囲を有するバックカバーは、テキスタイル製品に対するフレキシブルディスプレイ１４の（縫製等による）取付けを容易にするよう、フレキシブルディスプレイの背部に対して取り付けられ得る。図３−６は、フレキシブルディスプレイ１４がどのように取り付けられ得るかについての多種の例を示す部分的側部断面図である。図３中、フレキシブルディスプレイ１４は、ベルクロ２４を使用して拡散スペーサファブリック２２に対して取り付けられる。図４中、フレキシブルディスプレイ１４は、ポケット２６を用いて拡散スペーサファブリック２２に対して取り付けられる。図５中、フレキシブルディスプレイ１４は、ポケット２６を用いて内側ファブリック２８に対して取り付けられ、該ポケットは同様に、ベルクロ２４を使用して拡散スペーサファブリック２２に対して取り付けられる。図６中、フレキシブルディスプレイ１４は、内側ファブリック２８と拡散スペーサファブリック２２との間において配置される非常に透明なディスプレイ位置決めファブリック３２上に与えられるポケット２６において配置される。図６中、フレキシブルディスプレイ１４は、内側ファブリック２８における開口（図示せず）を介してアクセスされ得る。
【００２４】
追加的なスペーサファブリック３０は、図７に示される通り、フレキシブルディスプレイ１４の周囲に与えられ得る。即ち、追加的なスペーサファブリック３０は、フレキシブルディスプレイ１４の横方向伸張として、フレキシブルディスプレイ１４と同一の「レベル」に配置される。追加的なスペーサファブリック３０の厚さは、フレキシブルディスプレイ１４の厚さと合致し、フレキシブルディスプレイ１４を組み込むテキスタイル製品１０の一部は、一様な厚さを得る。追加的なスペーサファブリック３０は任意で、拡散スペーサファブリック２２と一個構成に形成され得る。
【００２５】
本発明のテキスタイル製品１０は、図示されない多くの追加的な特徴及び装置を有し得る。例えばテキスタイル製品は、ディスプレイに電力を供給する電源、ディスプレイを制御する制御ユニット、ディスプレイ上に表示されるべき画像又はアニメーションに関連するデータを格納するメモリ、外部装置との有線又は無線通信を可能にする通信ユニット、オーディオ手段等を有し得、テキスタイル製品が広範囲の用途に使用され得るようにする。また、テキスタイル製品は、１つより多くのフレキシブルディスプレイを有し得る。
【００２６】
当業者は、本発明が上述された望ましい実施例にいかようにも制限されない、ことを認識する。また、多くの修正及び変形は、添付の請求項の範囲内において可能である。例えば、衣類が上述されてきたが、本発明に従ったテキスタイル製品は、同様に、枕、カーテン、家具用ファブリック、自動車の天井、ベッドテキスタイル、おもちゃ、マット又はカーペット、テーブルクロス、パウチ、バッグ、バックパック等であり得る。
【図面の簡単な説明】
【００２７】
【図１】本発明に従ったテキスタイル製品の前面図である。
【図２】図１中のテキスタイル製品の部分的側部断面図である。
【図３】本発明に従ったテキスタイル製品の実施例の部分的側部断面図である。
【図４】本発明に従ったテキスタイル製品の実施例の部分的側部断面図である。
【図５】本発明に従ったテキスタイル製品の実施例の部分的側部断面図である。
【図６】本発明に従ったテキスタイル製品の実施例の部分的側部断面図である。
【図７】本発明に従ったテキスタイル製品の実施例の部分的側部断面図である。
【手続補正書】
【提出日】平成21年4月21日(2009.4.21)
【手続補正１】
【補正対象書類名】明細書
【補正対象項目名】全文
【補正方法】変更
【補正の内容】
【発明の詳細な説明】
【技術分野】
【０００１】
本発明は、外側ファブリック、及び該外側ファブリックの後方に配置されるフレキシブル発光ディスプレイを有するテキスタイル製品に係る。フレキシブル発光ディスプレイは、該フレキシブル発光ディスプレイから発される光を受けて拡散するよう配置される第１の拡散素子を有する。本発明はまた、かかるテキスタイル製品を製造する方法、及びテキスタイル製品内部における使用に適合されるフレキシブル発光ディスプレイに係る。
【背景技術】
【０００２】
かかるテキスタイル製品の一例は、ＷＯ２００４／１００１１１（特許文献１）において開示される。フレキシブルディスプレイは、シャツ等である衣類に組み込まれる。拡散素子は、フレキシブルディスプレイ自体又は衣類、即ちフレキシブルディスプレイを収容する衣類のポケットのいずれかにおいて与えられ、実質的に連続する光のディスプレイを作るためにフレキシブルディスプレイの２つの近接する離散光源（ｄｉｓｃｒｅｔｅ  ｌｉｇｈｔ  ｓｏｕｒｃｅｓ）からくる光を拡散するようにする。故に、単一の拡散素子が使用される。
【０００３】
上方に発光ダイオード（ＬＥＤ）を有するフレキシブルディスプレイスクリーンを有する他の衣類、即ちジャケットは、ＷＯ２００６／０１４２３０（特許文献２）において開示される。フレキシブルディスプレイスクリーンは、衣類の外側布地の後方に直接配置される。該外側布地は、ＬＥＤに対して光拡散器としての役割を有し得る。
【０００４】
これらの先行技術によるテキスタイル製品はいずれも、単一の拡散素子を利用する。これは、制限的な全体の拡散効果及び制限された拡散効果の制御のいずれの観点においても、拡散性能を妨害し得る。また、特許文献１において開示される拡散素子は非常に厚く、オフにされている場合でもディスプレイの輪郭が衣類の外側からも可視であるようにさせ得る。
【特許文献１】ＷＯ２００４／１００１１１
【特許文献２】ＷＯ２００６／０１４２３０
【発明の開示】
【発明が解決しようとする課題】
【０００５】
本発明は、上述された問題を克服するか少なくとも軽減すること、及び向上されたテキスタイル製品を与えることを目的とする。
【課題を解決するための手段】
【０００６】
以下の説明から明らかとなるこれらの及び他の目的は、添付の請求項に従った、テキスタイル製品、及びテキスタイル製品を製造する方法用いて達成される。
【０００７】
本発明の一態様によれば、外側ファブリックと、外側ファブリックの後方に配置されるフレキシブル発光ディスプレイとを有するテキスタイル製品が与えられる。フレキシブル発光ディスプレイは、フレキシブル発光ディスプレイから発される光を受けて拡散するよう配置される第１の拡散素子を有する。当該テキスタイル製品は、フレキシブル発光ディスプレイから発される光を受けて更に拡散するよう、外側ファブリックに近接して配置される第１の拡散素子とは別個である第２の拡散素子を有する、ことを特徴とする。該第２の拡散素子は、拡散スペーサファブリックである。
【０００８】
拡散スペーサファブリックは、第２の別個の拡散素子としての役割を有し、材料、厚さ、輪郭構造、形状、密度等である２つの拡散素子の特徴を調整し、光拡散特徴の最適化を可能にする。例えば、異なる密度を有する２つの拡散素子（同様の材料又は異なる材料）は、所望される拡散特徴を達成するよう使用され得る。更には、同様の密度を有するフォーム及びニードルパディング（ｎｅｅｄｌｅ  ｐａｄｄｉｎｇ）等である２つの異なるファブリックは、全く異なる発光効果を示し得、やはり拡散特徴の最適化を可能にする。
【０００９】
望ましくは、拡散スペーサファブリックは、フレキシブル発光ディスプレイと外側ファブリックとの間に配置されるため、外側ファブリックの外観及び外側表面構造は、保持される。あるいは、拡散スペーサファブリックは、外側ファブリックの外側に取り付けられ得る。
【００１０】
一実施例では、拡散スペーサファブリックは、フレキシブル発光ディスプレイより実質的に更に大きな範囲を有する。例えば、テキスタイル製品がジャケットである場合、拡散スペーサファブリックの範囲は望ましくは、ジャケットの全部又は後部の範囲に合致するか、あるいはフレキシブル発光ディスプレイが取り付けられるテキスタイル製品のファブリックの他の部分の範囲に合致する。拡散スペーサファブリックがフレキシブル発光ディスプレイより実質的に更に大きな範囲を有する際、該拡散スペーサファブリックは、フレキシブル発光ディスプレイの輪郭がテキスタイル製品の外側から可視であることを実質的に防ぎ、ディスプレイは、オフ状態の際には露出されない。
【００１１】
一実施例では、拡散スペーサファブリックは、外側ファブリックより大きな厚さを有する。このため、拡散スペーサファブリックは、外側ファブリックからフレキシブル発光ディスプレイの間隔をあけるよう適合される。
【００１２】
一実施例では、テキスタイル製品は更に、フレキシブル発光ディスプレイの周囲に配置される追加的なスペーサファブリックを有する。追加的なスペーサファブリックの厚さは望ましくは、フレキシブル発光ディスプレイの厚さに合致し、フレキシブル発光ディスプレイを組み込むテキスタイル製品の部分が一様な厚さを得るようにする。これはテキスタイル製品が衣類である場合に特に有利である。それは、一様な厚さによってユーザにとっての衣類の着用がより快適となるためである。追加的なスペーサファブリックは、テキスタイル製品の外側からのフレキシブル発光ディスプレイの輪郭の可視性を更に低減し得る。
【００１３】
一実施例では、フレキシブル発光ディスプレイは、拡散スペーサファブリック又は外側ファブリック（どちらが最も遠いかに依存する）と内側ファブリックとの間に配置される。ここでは、フレキシブル発光ディスプレイ（又はフレキシブル発光ディスプレイを収容するポケット）は、例えば、拡散スペーサファブリック（又は、どちらが最も遠いかに依存して、外側ファブリック）、又は内側ファブリックのいずれかに対して取り付けられ得る。後者の場合、フレキシブルディスプレイは望ましくは、拡散スペーサファブリック（又は、どちらが最も遠いかに依存して、外側ファブリック）に対して取り付けられ、フレキシブル発光ディスプレイと拡散スペーサファブリック（又は、どちらが最も遠いかに依存して、外側ファブリック）との間における距離を保持し、ディスプレイ性能が変えられない及び／又は低下されないようにする。
【００１４】
一実施例では、フレキシブル発光ディスプレイは、上方に取り付けられた少なくとも１つの光源を有するフレキシブル基板を有する。また、フレキシブル温度調節層は、少なくとも１つの光源を有する側部に対向するフレキシブル基板の側部上に与えられ、残りの発光ディスプレイ装置から熱を放散させる。これは、ディスプレイの一定した動作及び高められた耐久性を可能にする。更には、フレキシブル温度調節層を使用することによって、ディスプレイは、その全体的なフレキシブル特性を保持し得る。
【００１５】
一実施例では、テキスタイル製品は、ジャケット、ベスト、セーター、又はシャツ等である衣類である。
【００１６】
本発明の他の態様によれば、テキスタイル製品を製造する方法が与えられる。該テキスタイル製品は、外側ファブリック、及び第１の拡散素子を有するフレキシブル発光ディスプレイを有する。該第１の拡散素子は、フレキシブル発光ディスプレイから発される光を受けて拡散するよう配置される。当該方法は、外側ファブリックの後方にフレキシブル発光ディスプレイを配置する段階を有する。当該方法は、フレキシブル発光ディスプレイから発される光を受けて更に拡散するよう、外側ファブリックに近接して第１の拡散素子とは別個である第２の拡散素子を配置する段階、を有する。該第２の拡散素子は、拡散スペーサファブリックである。この方法は、本発明の前述された態様を有して得られる利点と同様の利点を与える。
【発明を実施するための最良の形態】
【００１７】
本発明のこれらの及び他の態様は、これより更に詳細に説明され、本発明の現在望ましい実施例を図示する添付の図面が参照される。
【００１８】
本発明の基本的な実施例に従ったテキスタイル製品はこれより、図１及び２に関連して説明される。ここではシャツであるテキスタイル製品１０は、外側ファブリック１２を有し、その後方にはフレキシブル発光ディスプレイ１４が配置される。フレキシブルディスプレイ１４は、例えばプラスチック又はファブリックを有して作られ得るフレキシブル基板１６、及び望ましくは発光ダイオード（ＬＥＤ）である複数の離散光源１８を有する。ＬＥＤは、高い耐用性、低い消費電力、及び高輝度等である複数の利点を示し、本願において有用となる。フレキシブルディスプレイ１４は、観察者が外側ファブリック１２を介してディスプレイ１４上にグラフィック形状、テキストベースの文字等を見ることができるよう、光を発し得る。該ディスプレイは、前出の特許文献１及び２において記載される種類であり得る。
【００１９】
フレキシブルディスプレイ１４は、フレキシブルディスプレイ１４から発される光を受けて拡散するよう配置される拡散素子２０を有し、実質的に連続的な光ディスプレイ（ｓｕｂｓｔａｎｔｉａｌｌｙ  ｃｏｎｔｉｎｕｏｕｓ  ｌｉｇｈｔ  ｄｉｓｐｌａｙ）を作るよう、２つの近接するＬＥＤ１８からくる光を拡散する。かかる拡散素子を有するフレキシブルディスプレイの一例は、前出の特許文献１において開示される。
【００２０】
本発明によれば、テキスタイル製品１０は更に、外側ファブリック１２に対して近接して与えられる拡散スペーサファブリック２２を有する。ここでは、図２に示される通り、拡散スペーサファブリック２２は、外側ファブリック１２の内側に対して取り付けられ、フレキシブルディスプレイ１４は、同様に拡散スペーサファブリック２２に対して取り付けられる。拡散スペーサファブリック２２は望ましくは、外側ファブリック１２に対してラミネートされる。あるいは、拡散スペーサファブリックは例えば、外側ファブリック１２に対して縫製、ファスナ留め、又はフックされ得る。拡散スペーサファブリック２２は、第２の別個の拡散素子としての役割を有し、材料、厚さ、形状、密度等である２つの拡散素子２０，２２の特徴を調整し、全体的な光拡散特徴の最適化を可能にする。拡散スペーサファブリック２２及び拡散素子２０は、織られたファブリック、編まれたファブリック、フォーム、ニードルパディング又は繊維充填物（ｆｉｂｅｒ  ｆｉｌｌ）等である不織材料等を有して構成され得る。拡散素子２０及び拡散スペーサファブリック２２の総厚さは、光源１８間における横方向距離に関連して選択されるべきである。任意で、拡散素子２０の厚さは、フレキシブル基板１６のエッジに向かって徐々に低減し、フレキシブルディスプレイ１４の輪郭は、より可視ではなくなる。
【００２１】
図１において、拡散スペーサファブリック２２は、フレキシブルディスプレイ１４と比較して実質的により大きい範囲を有する。即ち、拡散スペーサファブリック２２の範囲は、シャツ１０の前部の範囲に基本的に合致する。フレキシブルディスプレイ１４と比較して実質的により大きな範囲を有する拡散スペーサファブリック２２は、可能であれば拡散スペーサファブリック２２の適切な強度特徴及び／又は厚さと組み合わせて、フレキシブルディスプレイ１４の輪郭が衣類１０の外側から可視であることを防ぐ。
【００２２】
任意で、フレキシブルディスプレイ１４は、ＬＥＤ１８を有する側部と比較してフレキシブル基板１６の対向する側部上に与えられるフレキシブル温度調節層（図示せず）を追加的に有し得、残りのディスプレイ装置から熱を放散させる。温度調節層は例えば、望ましくはネオプレンである非伸縮性材料を有して作られ得る。温度調節層は更に、ディスプレイ装置から熱が離れるよう案内する穴を反復パターンにおいて与えられ得る。熱管理を除いて、温度調節層はまた、損傷に対する物理的な強度保護をフレキシブルディスプレイ１４に与える。ＧｏｒｅＴｅｘ（登録商標）等である通気性のあるファブリック層は更に、温度調節層上に与えられ得、熱がフレキシブルディスプレイ１４から出て移動され得るようにする。反射ファブリック層は更に、フレキシブル基板１６と温度調節層との間に与えられ得、ＬＥＤ１８から後方に発される光が前方に反射されるようにする。
【００２３】
フレキシブルディスプレイ１４は、多種の方途において取り付けられ得る。望ましくは、フレキシブルディスプレイは、取外し可能に取り付けられ、フレキシブルディスプレイ１４の修理を容易にし、また衣類１０が洗われる際等に除去され得るようにする。フレキシブルディスプレイ１４は例えば、ベルクロ（登録商標）、スナップボタン、ファスナ等を使用して取り付けられ得るか、あるいは、衣類１０内部に配置されるポケットに配置され得る。かかるポケットは例えば、（衣類の裏地の一部である）内側ファブリックと拡散スペーサファブリック２２との間に配置される、非常に透明なディスプレイ位置決めファブリック上に与えられ得る。あるいは、（ポケット又はパウチを有するかあるいは有さない）フレキシブルディスプレイ１４は、拡散スペーサファブリック２２又は内側ファブリックのいずかに対して取り付けられ得る。後者の場合、フレキシブルディスプレイ１４は望ましくは、フレキシブルディスプレイ１４と拡散スペーサファブリック２２との間における距離を保持するよう拡散スペーサファブリック２２に対して取り付けられ、ディスプレイ性能が変えられず、並びに／あるいは低下されないようにする。また、残りのフレキシブルディスプレイ１４より大きな範囲を有するバックカバーは、テキスタイル製品に対するフレキシブルディスプレイ１４の（縫製等による）取付けを容易にするよう、フレキシブルディスプレイの背部に対して取り付けられ得る。図３−６は、フレキシブルディスプレイ１４がどのように取り付けられ得るかについての多種の例を示す部分的側部断面図である。図３中、フレキシブルディスプレイ１４は、ベルクロ２４を使用して拡散スペーサファブリック２２に対して取り付けられる。図４中、フレキシブルディスプレイ１４は、ポケット２６を用いて拡散スペーサファブリック２２に対して取り付けられる。図５中、フレキシブルディスプレイ１４は、ポケット２６を用いて内側ファブリック２８に対して取り付けられ、該ポケットは同様に、ベルクロ２４を使用して拡散スペーサファブリック２２に対して取り付けられる。図６中、フレキシブルディスプレイ１４は、内側ファブリック２８と拡散スペーサファブリック２２との間において配置される非常に透明なディスプレイ位置決めファブリック３２上に与えられるポケット２６において配置される。図６中、フレキシブルディスプレイ１４は、内側ファブリック２８における開口（図示せず）を介してアクセスされ得る。
【００２４】
追加的なスペーサファブリック３０は、図７に示される通り、フレキシブルディスプレイ１４の周囲に与えられ得る。即ち、追加的なスペーサファブリック３０は、フレキシブルディスプレイ１４の横方向伸張として、フレキシブルディスプレイ１４と同一の「レベル」に配置される。追加的なスペーサファブリック３０の厚さは、フレキシブルディスプレイ１４の厚さと合致し、フレキシブルディスプレイ１４を組み込むテキスタイル製品１０の一部は、一様な厚さを得る。追加的なスペーサファブリック３０は任意で、拡散スペーサファブリック２２と一個構成に形成され得る。
【００２５】
本発明のテキスタイル製品１０は、図示されない多くの追加的な特徴及び装置を有し得る。例えばテキスタイル製品は、ディスプレイに電力を供給する電源、ディスプレイを制御する制御ユニット、ディスプレイ上に表示されるべき画像又はアニメーションに関連するデータを格納するメモリ、外部装置との有線又は無線通信を可能にする通信ユニット、オーディオ手段等を有し得、テキスタイル製品が広範囲の用途に使用され得るようにする。また、テキスタイル製品は、１つより多くのフレキシブルディスプレイを有し得る。
【００２６】
当業者は、本発明が上述された望ましい実施例にいかようにも制限されない、ことを認識する。また、多くの修正及び変形は、添付の請求項の範囲内において可能である。例えば、衣類が上述されてきたが、本発明に従ったテキスタイル製品は、同様に、枕、カーテン、家具用ファブリック、自動車の天井、ベッドテキスタイル、おもちゃ、マット又はカーペット、テーブルクロス、パウチ、バッグ、バックパック等であり得る。
【図面の簡単な説明】
【００２７】
【図１】本発明に従ったテキスタイル製品の前面図である。
【図２】図１中のテキスタイル製品の部分的側部断面図である。
【図３】本発明に従ったテキスタイル製品の実施例の部分的側部断面図である。
【図４】本発明に従ったテキスタイル製品の実施例の部分的側部断面図である。
【図５】本発明に従ったテキスタイル製品の実施例の部分的側部断面図である。
【図６】本発明に従ったテキスタイル製品の実施例の部分的側部断面図である。
【図７】本発明に従ったテキスタイル製品の実施例の部分的側部断面図である。
【国際調査報告】
2009540355.tif 000010
2009540355.tif 000011
2009540355.tif 000012